(57)【要約】【課題】より機能性の高いペットボトルキャップを提供する。【解決手段】内容物を収容する容器に装着可能なキャップであって、本体部と、前記本体部に開閉可能に接続された蓋部とを備え、前記本体部は、前記内容物を通過させるための貫通孔と、前記容器の内部の空気の調整を行う空気調整孔とを有する貫通部材と、前記蓋部と係合する係合部材とを備え、前記蓋部は、前記係合部材と係合して前記本体部に対して閉じられた状態にある場合に、前記貫通孔及び前記空気調整孔のそれぞれの開口を塞ぐと共に、前記貫通部材を押圧して前記蓋部を前記本体部から開く方向に反発力を生じさせる。【選択図】図１
2019189283.tif 000002
【特許請求の範囲】
【請求項１】
内容物を収容する容器に装着可能なキャップであって、
本体部と、
前記本体部に開閉可能に接続された蓋部と、
を備え、
前記本体部は、
前記内容物を通過させるための貫通孔と、前記容器の内部の空気の調整を行う空気調整孔とを有する貫通部材と、
前記蓋部と係合する係合部材と、
を備え、
前記蓋部は、前記係合部材と係合して前記本体部に対して閉じられた状態にある場合に、前記貫通孔及び前記空気調整孔のそれぞれの開口を塞ぐと共に、前記貫通部材を押圧して前記蓋部を前記本体部から開く方向に反発力を生じさせるように構成された、キャップ。
【請求項２】
前記蓋部は、前記本体部に対して閉じられた状態にある場合に前記空気調整孔の開口を塞ぐための第1の閉塞部を備え、
前記蓋部が前記本体部に対して閉じられ、前記空気調整孔の開口が前記第1の閉塞部により塞がれている場合に、前記貫通部材の前記空気調整孔の開口の周辺は前記第1の閉塞部により押圧され、該押圧により前記貫通部材の前記空気調整孔の開口の周辺に生ずる変形により前記蓋部を前記本体部から開く方向に前記反発力が生ずる、請求項１に記載のキャップ。
【請求項３】
前記貫通部材は、前記貫通孔が形成された吸引用部材を含み、
前記蓋部は、前記本体部に対して閉じられた状態にある場合に前記吸引用部材の開口を塞ぐための第2の閉塞部を備え、
前記蓋部が前記本体部に対して閉じられ、前記吸引用部材の開口が前記第2の閉塞部により塞がれている場合に、前記吸引用部材は前記第2の閉塞部により押圧され、該押圧により前記吸引用部材に生ずる曲がりにより前記蓋部を前記本体部から開く方向に前記反発力が生ずる、請求項１または２に記載のキャップ。
【請求項４】
前記吸引用部材は少なくとも一部に蛇腹構造を有し、
前記押圧による前記吸引用部材の曲がりは、前記蛇腹構造の部分において生ずる、請求項３に記載のキャップ。
【請求項５】
前記貫通部材は反発力を生ずる部材を含む、請求項１から４のいずれか1項に記載のキャップ。
【請求項６】
前記反発力を生ずる部材は、シリコンゴム材料で構成された部材である、請求項５に記載のキャップ。
【請求項７】
前記本体部は、前記係合部材の係合状態を解除して、前記反発力により前記蓋部を、前記本体部に対して閉じた状態から、前記本体部に対して開いた状態に遷移させるように構成されたスイッチを更に備える、請求項１から６のいずれか１項に記載のキャップ。
【請求項８】
前記貫通部材の前記容器の内側に位置する開口は、前記容器に挿入されるストローを接続可能に構成され、
前記貫通部材の前記容器の外側に位置する開口は、使用者により吸引可能に構成されている、請求項１から７のいずれか１項に記載のキャップ。
【発明の詳細な説明】
【技術分野】
【０００１】
本発明は、容器に装着可能なキャップに関する。
【背景技術】
【０００２】
ペットボトルのような所定の内容物を収容する容器に装着可能なキャップとして、特許文献１に記載されるものがある。
【先行技術文献】
【特許文献】
【０００３】
【特許文献１】特開２００１−３５４２６０号公報
【発明の概要】
【発明が解決しようとする課題】
【０００４】
本発明は、従来技術と比較して、より機能性の高いキャップを提供する。
【課題を解決するための手段】
【０００５】
上記課題を解決するための本願発明は、内容物を収容する容器に装着可能なキャップであって、
本体部と、
前記本体部に開閉可能に接続された蓋部と、
を備え、
前記本体部は、
前記内容物を通過させるための貫通孔と、前記容器の内部の空気の調整を行う空気調整孔とを有する貫通部材と、
前記蓋部と係合する係合部材と、
を備え、
前記蓋部は、前記係合部材と係合して前記本体部に対して閉じられた状態にある場合に、前記貫通孔及び前記空気調整孔のそれぞれの開口を塞ぐと共に、前記貫通部材を押圧して前記蓋部を前記本体部から開く方向に反発力を生じさせるように構成される。
【発明の効果】
【０００６】
本発明によれば、より機能性の高いキャップを提供することができる。
【図面の簡単な説明】
【０００７】
【図１】発明の実施形態に対応するキャップ１００の全体像の一態様を示す斜視図。
【図２】発明の実施形態に対応するキャップ１００の全体像の別の態様を示す斜視図。
【図３】発明の実施形態に対応するキャップ１００の内部構造の一態様を示す断面図。
【図４】発明の実施形態に対応するキャップ１００の内部構造の別の態様を示す断面図。
【図５】発明の実施形態に対応するキャップ１００の内側蓋部材１０１Ｂの構造を示す概観図。
【図６】発明の実施形態に対応するキャップ１００をペットボトルに装着した場合の一態様を示す斜視図。
【発明を実施するための形態】
【０００８】
以下、発明の例示的な実施形態について、添付の図面を参照して説明する。なお、各図において、同じ参照符号は、同じ要素を示している。また、以下では、主にペットボトルに装着可能なキャップの実施形態について説明する。
【０００９】
図１は、発明の実施形態に対応するキャップ１００の全体像の一態様を示す斜視図である。キャップ１００は大きく分けて、蓋部１０１と、本体部１０２との２つの部材を有するように構成される。蓋部１０１は、本体部１０２に対してヒンジ部１０３を介して開閉可能に接続されている。図１では、蓋部１０１が本体部１０２に対して閉じた状態のキャップ１００場合の様子を示している。このように蓋部１０１が閉じた状態から開いた状態にする場合には、本体部１０２に設けられたスイッチ１０４を押圧すればよい。これにより、蓋部１０１の内側に設けられた突起と、本体部１０２内の係合部材との係合状態が解除されて蓋部１０１が開く。
【００１０】
本体部１０２の内部には、ペットボトルのような所定の内容物を収容する容器内に挿入されるストローと接続するための開口（接続口）と、キャップ１００の使用者がペットボトル内の内容物を吸引するための開口（吸引口）とが連結した貫通孔が形成され、かつ、吸引時のペットボトル内の空気を調整するための空気調整孔を有する、貫通部材１０５が配置されている。
【００１１】
次に、図２は、発明の実施形態に対応するキャップ１００の全体像の別の態様を示す斜視図である。図２では、蓋部１０１が本体部１０２に対して開いた状態のキャップ１００場合の様子を示している。蓋部１０１が開いた状態においても、蓋部１０１と本体部１０２とはヒンジ部１０３を介して依然として接続されている。係合部材２０１は、本体部１０２側に設けられ、蓋部１０１内側に設けられた突起２０２と係合して、図１に示したように蓋部１０１を本体部１０２に対して閉じた状態に保つことができる。係合部材２０１は、スイッチ１０４の動きと連動するように構成されている。スイッチ１０４が使用者により押圧され、本体部１０２の内側に押し込められると、それに伴って係合部材２０１も本体部１０２の内側方向に移動する。これにより、係合部材２０１と突起２０２との係合状態が解除されて、蓋部１０１を開くことが可能となる。
【００１２】
貫通部材１０５の本体部１０２の上側に突出した部分は吸引用部材１０５Ａとなっており、その先端に吸引口２０３が設けられている。吸引用部材１０５Ａは、蛇腹部分と筒状部分とを含むように構成され、吸引口２０３は筒状部分に形成されている。また、吸引用部材１０５Ａと併設するように筒状台座部材１０５Ｂが形成されており、その表面に空気調整孔の開口２０４が設けられている。
【００１３】
蓋部１０１が閉じた状態において、蓋部１０１内に設けられた突起２０５（第1の閉塞部）の先端の平面により筒状台座部材１０５Ｂの表面（特に、空気調整孔の開口２０４の周辺領域）が押圧され、同時に空気調整孔の開口２０４が閉塞される。これにより筒状台座部材１０５Ｂは圧縮され変形する。また、蓋部１０１の内側には、吸引口２０３を閉塞するための平坦部２０６（第2の閉塞部）が設けられており、蓋部１０１が閉じた状態において当該平坦部２０６により吸引口２０３が閉塞される。蓋部１０１が閉じた状態において貫通孔及び空気調整孔が共に閉塞されることにより、ペットボトル内の内容物が外に漏れ出すことを防止することができる。
【００１４】
次に、図３は、発明の実施形態に対応するキャップ１００の内部構造を示す断面図である。図３は、図１のＡ−Ａ断面図である。
【００１５】
図３に示すように、蓋部１０１は、外側の輪郭を構成する外殻１０１Ａと、外殻の内側に位置し、吸引用部材１０５Ａや筒状台座部材１０５Ｂと接触してそれらの開口を閉塞しつつ、押圧するための内側蓋部材１０１Ｂとからなる。蓋部１０１を閉じた状態において、空気調整孔３０１の開口２０４は、上述のように内側蓋部材１０１Ｂに設けられた突起２０５の先端平面により閉塞されている。また、内側蓋部材１０１Ｂの頂部に設けられた平坦部２０６により貫通孔３０２の開口である吸引口２０３が閉塞されている。このとき、吸引用部材１０５Ａは、蛇腹部分において曲がりが生じており、吸引口２０３を有する筒状部分を平坦部２０６に押し付けるように力が作用している。
【００１６】
本実施形態において吸引用部材１０５Ａは蛇腹部分を有することで、押圧により吸引用部材１０５Ａが折れてしまって貫通孔３０２が途中で閉塞されることがなくなるので、変形による経年劣化を防止することができる。また、面１０５Ｃは、平坦部２０６と蛇腹部分とにより上下から圧縮されるような状態になっている。これにより、面１０５Ｃの全体が平坦部２０６と接触し、吸引口２０３を確実に閉塞することができる。また、蓋部１０１が閉じられた状態を維持するために、スイッチ１０４と連結している係合部材２０１と、内側蓋部材１０１Ｂの突起２０２とが係合している。
【００１７】
図３に示すような蓋部１０１が閉じられた状態において、筒状台座部材１０５Ｂは押圧により圧縮され変形しており、形状を復元する方向に反発力を生じている。筒状台座部材１０５Ｂは、筒状形状を有するので、突起２０５による押圧により変形し反発力を生じやすい。この反発力の方向は、内側蓋部材１０１Ｂの突起２０５を上に押し上げる方向であって、蓋部１０１を開く方向と一致する。当該反発力を発生させるために貫通部材１０５を押圧による反発力を生ずる部材、例えばシリコンゴム材料により構成することができる。シリコンゴム以外にも、例えば、ウレタンゴムの一部、フッ素ゴム等を含むエラストマー材料とすることができる。また、貫通部材１０５全体をシリコンゴム材料で生成するのではなく、筒状台座部材１０５Ｂの押圧箇所をシリコンゴム材料により構成するようにしても良い。
【００１８】
このとき吸引用部材１０５Ａも、その先端が平坦部２０６により押圧されることにより、蛇腹部分において曲がりが生じ、それによる反発力を生じている。この反発力を有効とするために、吸引用部材の蛇腹部分をシリコンゴム材料により構成することができる。また、このとき、筒状部分も蛇腹部分と平坦部２０６との両方から圧縮されるため、筒状部分に反発力を生じさせることもできる。そのために、吸引用部材の筒状部分をシリコンゴム材料により構成するようにしても良い。これらの反発力も、筒状台座部材１０５Ｂの場合と同様に蓋部１０１の突起２０５を上に押し上げる方向に働くので、筒状台座部材１０５Ｂと協働して蓋部１０１を開く方向に反発力を発生させるのに利用することができる。
【００１９】
このように蓋部１０１が閉じられた状態では蓋部１０１を開く方向に反発力が常に生じているので、係合部材２０１と突起２０２との係合は、当該反発力により解除されない程度の強さを有するように構成されている。そして、スイッチ１０４が押圧されて係合状態が解除されると、吸引用部材１０５Ａ及び筒状台座部材１０５Ｂから生ずる反発力により、蓋部１０１が上方向に押し上げられ、蓋部１０１の状態が、本体部１０２に対して閉じた状態から本体部１０２に対して開いた状態に遷移する。このとき、蓋部１０１は図２や図４に示すように吸引用部材１０５Ａが十分に露出する程度まで押し上げられることが望ましい。図４は、発明の実施形態に対応するキャップ１００の内部構造を示す断面図である。図４は、図２のＢ−Ｂ断面図である。そこで、筒状台座部材１０５Ｂを突起２０５により押圧する程度は、筒状台座部材１０５Ｂの反発力により蓋部１０１が十分に押し上げられるように調整される。このとき、吸引用部材１０５Ａによる反発力を併せて考慮しても良い。
【００２０】
図３の説明に戻ると、図３にはペットボトル内に挿入されるストローを接続するための接続口１０５Ｄが示されている。貫通部材１０５内は、ペットボトル内の内容物が貫通部材１０５内を通過可能とするために、当該接続口１０５Ｄと吸引口２０３とを接続する貫通孔３０２が形成されている。また、図３は、本体部１０２におけるペットボトルの口の溝と係合するための突起３０３の構成を示している。当該突起３０３により、ペットボトルの口部分に対してキャップ１００を装着することができる。
【００２１】
次に、図５は、発明の実施形態に対応する内側蓋部材１０１Ｂの構造を示す概観図である。内側蓋部材１０１Ｂの頂部５０１は平坦面を有しており、開口５０２の一部を構成する。当該平坦面は、頂部５０１の内側に位置する平坦部２０６の形状に対応し、当該平坦部２０６は開口５０２と連続している。そして、図３や図４からも理解されるように、内側蓋部材１０１Ｂの内側では、平坦部２０６の下側に空間が形成されている。このように内部に空間を設けることにより、吸引用部材１０５Ａの先端が平坦部２０６に到達するまでに、内側蓋部材１０１Ｂの内側表面を含む平坦部２０６以外の部材に接触しないようすることができる。仮に吸引用部材１０５Ａの先端が内側蓋部材１０１Ｂの内側表面に接触すると、内側表面との接触抵抗により吸引用部材１０５Ａが折れ曲がり、平坦部２０６以外の面と接触した状態で固定されてしまう可能性がある。そのような状態では、吸引口２０３が確実に閉塞されないため、容器内の内容物が漏れ出てしまうおそれがある。また、そのような折れ曲がりが繰り返されると、経年劣化の原因になる。図５に示す本実施形態の構成によれば、このような問題を効果的に防止することができる。
【００２２】
図６は、発明の実施形態に対応するキャップ１００をペットボトルに装着した場合の一態様を示す斜視図である。キャップ１００は、飲料水などの内容物を収容する容器としてのペットボトルの上部に装着されている。このとき、ペットボトル内には内容物を吸引するためのストロー６０１が挿入されており、ストロー６０１は、キャップ１００内の貫通部材１０５の底部に設けられた接続口１０５Ｄと接続されている。この構成により、使用者が吸引用部材１０５Ａの吸引口２０３に口を付けて吸引を行うと、当該吸引力によりストロー５０１を内容物が上昇し、貫通部材１０５内の貫通孔３０２を通って吸引口２０３から使用者に提供される。また、吸引用部材１０５Ａは蛇腹部分を有し、使用者が使用する際に吸引用部材１０５Ａを曲げて使いやすい構造となっている。
【００２３】
以上の実施形態では、吸引用部材１０５Ａ及び筒状台座部材１０５Ｂの両方から生ずる反発力を利用して蓋部１０１を開く場合について説明した。しかし、発明の実施形態として、キャップ１００を吸引用部材１０５Ａ及び筒状台座部材１０５Ｂのいずれか一方の反発力を利用して蓋部１０１を開くように構成してもよい。
【００２４】
また、上記では発明をペットボトルの口部分に装着可能なキャップとして説明した。しかし、発明の実施形態はペットボトルに装着されるキャップに限定されるものではない。即ち、ペットボトル以外の所定の内容物（水や飲料水のような液体の他、ジェル状の美容液やクリームなどを含むことができる。）を収容する任意の容器に対しても同様に適用することができる。
【図１】
2019189283.tif 000003
【図２】
2019189283.tif 000004
【図３】
2019189283.tif 000005
【図４】
2019189283.tif 000006
【図５】
2019189283.tif 000007
【図６】
2019189283.tif 000008
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
内容物を収容する容器に装着可能なキャップであって、
本体部と、
前記本体部に開閉可能に接続された蓋部と、
を備え、
前記本体部は、
前記内容物を通過させるための貫通孔と、前記容器の内部の空気の調整を行う空気調整孔とを有する貫通部材と、
前記蓋部と係合する係合部材と、
を備え、
前記蓋部は、前記係合部材と係合して前記本体部に対して閉じられた状態にある場合に、前記貫通孔及び前記空気調整孔のそれぞれの開口を塞ぐと共に、前記貫通部材を押圧して前記蓋部を前記本体部から開く方向に反発力を生じさせるように構成され、
前記蓋部は、前記本体部に対して閉じられた状態にある場合に前記空気調整孔の開口を塞ぐための第1の閉塞部を備え、
前記蓋部が前記本体部に対して閉じられ、前記空気調整孔の開口が前記第1の閉塞部により塞がれている場合に、前記貫通部材の前記空気調整孔の開口の周辺は前記第1の閉塞部により押圧され、該押圧により前記貫通部材の前記空気調整孔の開口の周辺に生ずる変形により前記蓋部を前記本体部から開く方向に前記反発力が生ずる、キャップ。
【請求項２】
前記貫通部材は、前記貫通孔が形成された吸引用部材を含み、
前記蓋部は、前記本体部に対して閉じられた状態にある場合に前記吸引用部材の開口を塞ぐための第2の閉塞部を備え、
前記蓋部が前記本体部に対して閉じられ、前記吸引用部材の開口が前記第2の閉塞部により塞がれている場合に、前記吸引用部材は前記第2の閉塞部により押圧され、該押圧により前記吸引用部材に生ずる曲がりにより前記蓋部を前記本体部から開く方向に前記反発力が生ずる、請求項１に記載のキャップ。
【請求項３】
前記吸引用部材は少なくとも一部に蛇腹構造を有し、
前記押圧による前記吸引用部材の曲がりは、前記蛇腹構造の部分において生ずる、請求項２に記載のキャップ。
【請求項４】
前記貫通部材は反発力を生ずる部材を含む、請求項１から３のいずれか１項に記載のキャップ。
【請求項５】
前記反発力を生ずる部材は、シリコンゴム材料で構成された部材である、請求項４に記載のキャップ。
【請求項６】
前記本体部は、前記係合部材の係合状態を解除して、前記反発力により前記蓋部を、前記本体部に対して閉じた状態から、前記本体部に対して開いた状態に遷移させるように構成されたスイッチを更に備える、請求項１から５のいずれか１項に記載のキャップ。
【請求項７】
前記貫通部材の前記容器の内側に位置する開口は、前記容器に挿入されるストローを接続可能に構成され、
前記貫通部材の前記容器の外側に位置する開口は、使用者により吸引可能に構成されている、請求項１から６のいずれか１項に記載のキャップ。
【手続補正２】
【補正対象書類名】明細書
【補正対象項目名】０００５
【補正方法】変更
【補正の内容】
【０００５】
上記課題を解決するための本願発明は、内容物を収容する容器に装着可能なキャップであって、
本体部と、
前記本体部に開閉可能に接続された蓋部と、
を備え、
前記本体部は、
前記内容物を通過させるための貫通孔と、前記容器の内部の空気の調整を行う空気調整孔とを有する貫通部材と、
前記蓋部と係合する係合部材と、
を備え、
前記蓋部は、前記係合部材と係合して前記本体部に対して閉じられた状態にある場合に、前記貫通孔及び前記空気調整孔のそれぞれの開口を塞ぐと共に、前記貫通部材を押圧して前記蓋部を前記本体部から開く方向に反発力を生じさせるように構成され
前記蓋部は、前記本体部に対して閉じられた状態にある場合に前記空気調整孔の開口を塞ぐための第1の閉塞部を備え、
前記蓋部が前記本体部に対して閉じられ、前記空気調整孔の開口が前記第1の閉塞部により塞がれている場合に、前記貫通部材の前記空気調整孔の開口の周辺は前記第1の閉塞部により押圧され、該押圧により前記貫通部材の前記空気調整孔の開口の周辺に生ずる変形により前記蓋部を前記本体部から開く方向に前記反発力が生ずる。